【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
所定の副画像のストリームである副画像ストリームのパケットと、
符号化された主画像のストリームであって、前記所定の副画像に対する、３Ｄ表示に用いられる左目用の副画像と右目用の副画像のずれ方向およびずれ量からなるオフセット情報を含むストリームであるビデオストリームのパケットと
を含み、
前記ビデオストリームのパケットのデータ部には、符号化された前記主画像のビデオデータまたは前記オフセット情報のいずれか一方のみが配置され、
前記ビデオストリームのパケットのヘッダには、そのパケットの前記データ部に配置されるデータが前記符号化された主画像のビデオデータであるか、または、前記オフセット情報であるかを表す情報であるフラグ情報が記述されている
データ構造のデータを再生する場合に、
前記副画像ストリームおよび前記ビデオストリームのパケットを読み出す読出手段と、
前記読出手段により読み出された前記パケットの前記ヘッダに記述されている前記フラグ情報に基づいて、そのパケットのうち、前記オフセット情報が前記データ部に配置されているパケットを抽出する抽出手段と、
前記抽出手段により抽出された前記パケットの前記データ部に配置されている前記オフセット情報に基づいて、前記副画像ストリームのパケットから前記左目用の副画像のビデオデータと前記右目用の副画像のビデオデータを生成する生成手段と、
前記読出手段により読み出された前記パケットの前記ヘッダに記述されている前記フラグ情報に基づいて、そのパケットの前記データ部に含まれる前記符号化された主画像のビデオデータを復号する復号手段と
を備える再生装置。
【請求項２】
前記ビデオストリームは、MVC(Multi-view Video coding)方式で符号化された右目用または左目用のいずれか一方の前記主画像のストリームであり、
前記データは、さらに、他方の前記主画像のビデオストリームを含む
請求項１に記載の再生装置。
【請求項３】
前記オフセット情報には、そのオフセット情報の一部または全部が所定のコードを表さないように、一部に所定の情報が含まれる
請求項１に記載の再生装置。
【請求項４】
所定の副画像のストリームである副画像ストリームのパケットと、
符号化された主画像のストリームであって、前記所定の副画像に対する、３Ｄ表示に用いられる左目用の副画像と右目用の副画像のずれ方向およびずれ量からなるオフセット情報を含むストリームであるビデオストリームのパケットと
を含み、
前記ビデオストリームのパケットのデータ部には、符号化された前記主画像のビデオデータまたは前記オフセット情報のいずれか一方のみが配置され、
前記ビデオストリームのパケットのヘッダには、そのパケットの前記データ部に配置されるデータが前記符号化された主画像のビデオデータであるか、または、前記オフセット情報であるかを表す情報であるフラグ情報が記述されている
データ構造のデータを再生する再生装置が、
前記副画像ストリームおよび前記ビデオストリームのパケットを読み出す読出ステップと、
前記読出ステップの処理により読み出された前記パケットの前記ヘッダに記述されている前記フラグ情報に基づいて、そのパケットのうち、前記オフセット情報が前記データ部に配置されているパケットを抽出する抽出ステップと、
前記抽出ステップの処理により抽出された前記パケットの前記データ部に配置されている前記オフセット情報に基づいて、前記副画像ストリームのパケットから前記左目用の副画像のビデオデータと前記右目用の副画像のビデオデータを生成する生成ステップと、
前記読出ステップの処理により読み出された前記パケットの前記ヘッダに記述されている前記フラグ情報に基づいて、そのパケットの前記データ部に含まれる前記符号化された主画像のビデオデータを復号する復号ステップと
を含む再生方法。
【請求項５】
所定の副画像のストリームである副画像ストリームのパケットと、
符号化された主画像のストリームであって、前記所定の副画像に対する、３Ｄ表示に用いられる左目用の副画像と右目用の副画像のずれ方向およびずれ量からなるオフセット情報を含むストリームであるビデオストリームのパケットと
を含み、
前記ビデオストリームのパケットのデータ部には、符号化された前記主画像のビデオデータまたは前記オフセット情報のいずれか一方のみが配置され、
前記ビデオストリームのパケットのヘッダには、そのパケットの前記データ部に配置されるデータが前記符号化された主画像のビデオデータであるか、または、前記オフセット情報であるかを表す情報であるフラグ情報が記述されている
データ構造のデータを再生する制御を実行するコンピュータに、
前記副画像ストリームおよび前記ビデオストリームのパケットを読み出す読出ステップと、
前記読出ステップの処理により読み出された前記パケットの前記ヘッダに記述されている前記フラグ情報に基づいて、そのパケットのうち、前記オフセット情報が前記データ部に配置されているパケットを抽出する抽出ステップと、
前記抽出ステップの処理により抽出された前記パケットの前記データ部に配置されている前記オフセット情報に基づいて、前記副画像ストリームのパケットから前記左目用の副画像のビデオデータと前記右目用の副画像のビデオデータを生成する生成ステップと、
前記読出ステップの処理により読み出された前記パケットの前記ヘッダに記述されている前記フラグ情報に基づいて、そのパケットの前記データ部に含まれる前記符号化された主画像のビデオデータを復号する復号ステップと
を含む処理を実行させるためのプログラム。
【請求項６】
所定の副画像のストリームである副画像ストリームのパケットと、
符号化された主画像のストリームであって、前記所定の副画像に対する、３Ｄ表示に用いられる左目用の副画像と右目用の副画像のずれ方向およびずれ量からなるオフセット情報を含むストリームであるビデオストリームのパケットと
を含み、
前記ビデオストリームのパケットのデータ部には、符号化された前記主画像のビデオデータまたは前記オフセット情報のいずれか一方のみが配置され、
前記ビデオストリームのパケットのヘッダには、そのパケットの前記データ部に配置されるデータが前記符号化された主画像のビデオデータであるか、または、前記オフセット情報であるかを表す情報であるフラグ情報が記述されている
データ構造のデータが記録されている記録媒体。
【請求項７】
前記ビデオストリームは、MVC(Multi-view Video coding)方式で符号化された右目用または左目用のいずれか一方の前記主画像のストリームであり、
前記データ構造は、さらに、他方の前記主画像のビデオストリームを含む
請求項６に記載の記録媒体。
【請求項８】
前記オフセット情報には、そのオフセット情報の一部または全部が所定のコードを表さないように、一部に所定の情報が含まれる
請求項６に記載の記録媒体。
【請求項９】
主画像のビデオデータを符号化する符号化手段と、
前記符号化手段により符号化された前記ビデオデータと、所定の副画像に対する、３Ｄ表示に用いられる左目用の副画像と右目用の副画像のずれ方向およびずれ量からなるオフセット情報が同一のパケット内に含まれないように、前記オフセット情報がデータ部に配置され、そのデータ部に配置されたデータが前記オフセット情報であることを表すフラグ情報がヘッダに記述されたパケットを生成し、前記符号化されたビデオデータがデータ部に配置され、そのデータ部に配置されたデータが前記符号化されたビデオデータであることを表すフラグ情報がヘッダに記述されたパケットを生成する生成手段と、
前記パケットを記録媒体に記録させる記録制御手段と
を備える記録装置。
【請求項１０】
前記符号化手段は、MVC(Multi-view Video coding)方式で左目用の前記主画像または右目用の前記主画像のビデオデータを符号化する
請求項９に記載の記録装置。
【請求項１１】
前記オフセット情報には、そのオフセット情報の一部または全部が所定のコードを表さないように、一部に所定の情報が含まれる
請求項９に記載の記録装置。
【請求項１２】
記録装置が、
主画像のビデオデータを符号化する符号化ステップと、
前記符号化ステップの処理により符号化された前記ビデオデータと、所定の副画像に対する、３Ｄ表示に用いられる左目用の副画像と右目用の副画像のずれ方向およびずれ量からなるオフセット情報が同一のパケット内に含まれないように、前記オフセット情報がデータ部に配置され、そのデータ部に配置されたデータが前記オフセット情報であることを表すフラグ情報がヘッダに記述されたパケットを生成し、前記符号化されたビデオデータがデータ部に配置され、そのデータ部に配置されたデータが前記符号化されたビデオデータであることを表すフラグ情報がヘッダに記述されたパケットを生成する生成ステップと、
前記パケットを記録媒体に記録させる記録制御ステップと
を含む記録方法。
【請求項１３】
コンピュータに、
主画像のビデオデータを符号化する符号化ステップと、
前記符号化ステップの処理により符号化された前記ビデオデータと、所定の副画像に対する、３Ｄ表示に用いられる左目用の副画像と右目用の副画像のずれ方向およびずれ量からなるオフセット情報が同一のパケット内に含まれないように、前記オフセット情報がデータ部に配置され、そのデータ部に配置されたデータが前記オフセット情報であることを表すフラグ情報がヘッダに記述されたパケットを生成し、前記符号化されたビデオデータがデータ部に配置され、そのデータ部に配置されたデータが前記符号化されたビデオデータであることを表すフラグ情報がヘッダに記述されたパケットを生成する生成ステップと、
前記パケットを記録媒体に記録させる記録制御ステップと
を含む処理を実行させるためのプログラム。
【手続補正２】
【補正対象書類名】明細書
【補正対象項目名】発明の名称
【補正方法】変更
【補正の内容】
【発明の名称】再生装置および再生方法、記録媒体、記録装置および記録方法、並びにプログラム
【手続補正３】
【補正対象書類名】明細書
【補正対象項目名】０００１
【補正方法】変更
【補正の内容】
【０００１】
本発明は、再生装置および再生方法、記録媒体、記録装置および記録方法、並びにプログラムに関し、特に、主画像のストリームに副画像のオフセット情報が配置される場合に、そのオフセット情報に基づく副画像の３Ｄ表示を容易に実現することができるようにした再生装置および再生方法、記録媒体、記録装置および記録方法、並びにプログラムに関する。
【手続補正４】
【補正対象書類名】明細書
【補正対象項目名】００１３
【補正方法】変更
【補正の内容】
【００１３】
本発明の第２の側面の記録媒体に記録されているデータのデータ構造は、所定の副画像のストリームである副画像ストリームのパケットと、符号化された主画像のストリームであって、前記所定の副画像に対する、３Ｄ表示に用いられる左目用の副画像と右目用の副画像のずれ方向およびずれ量からなるオフセット情報を含むストリームであるビデオストリームのパケットとを含み、前記ビデオストリームのパケットのデータ部には、符号化された前記主画像のビデオデータまたは前記オフセット情報のいずれか一方のみが配置され、前記ビデオストリームのパケットのヘッダには、そのパケットの前記データ部に配置されるデータが前記符号化された主画像のビデオデータであるか、または、前記オフセット情報であるかを表す情報であるフラグ情報が記述されているデータ構造である。